(57)【要約】【課題】  多数の容器を使用する工場において、容器乾燥装置の前工程として必ずあった容器洗浄装置の設置場所の確保が必要であった。【解決手段】  扉部１３を有する外装部１２を有し、外装部１２の内部に積層された容器Ｃを載置するターンテーブル１と、ターンテーブル１の上部にターンテーブル１の回転中心から同距離で対向する位置に２本づつ立設させるコラム２と、クランプ部４を開閉するクランプ開閉用シリンダー６と、ターンテーブル１から間隔を有した外周に外周方向において略等間隔に垂直方向に複数の洗浄管２０を立設し、各々の洗浄管２０は上下方向に複数ほぼ等間隔に洗浄ノズル２１を内側に向かって設けた容器洗浄遠心乾燥機Ａを有する容器洗浄遠心乾燥装置による。【選択図】  図２
2008296198.tif 000002
【特許請求の範囲】
【請求項１】
扉部を有する外装部を有し、外装部の内部に積層された容器を載置するターンテーブルと、ターンテーブルの上部にターンテーブルの回転中心から同距離で対向する位置に２本づつ立設させるコラムと、対向するそれぞれ２本のコラムを上部で結合させるアッパープレートと、積層された容器をセンタリングしつつ開閉自在に４つの隅部を固定する４つのクランプ部と、ターンテーブル、コラム、アッパープレートおよびクランプ部を回転させる駆動モータと、ターンテーブル回転中心に垂直方向に配置されクランプ部を開閉するクランプ開閉用シリンダーと、
ターンテーブルから間隔を有した外周に外周方向において略等間隔に垂直方向に複数の洗浄管を立設し、各々の洗浄管は上下方向に複数ほぼ等間隔に洗浄ノズルを内側に向かって設けた容器洗浄遠心乾燥機を有することを特徴とする容器洗浄遠心乾燥装置。
【請求項２】
扉部を有する外装部を有し、外装部の内部に積層された容器を載置するターンテーブルと、ターンテーブルの上部にターンテーブルの回転中心から同距離で対向する位置に２本づつ立設させるコラムと、対向するそれぞれ２本のコラムを上部で結合させるアッパープレートと、対向するそれぞれ２本のコラムの間に垂直方向に設けられる部分とアッパープレートに水平に設けられる部分とともに門形に設けられロータリーカップリングの作動により昇降する２つのクランプ開閉用ヨークと、それぞれのクランプ開閉用ヨークに上下に複数設けられるとともにそれぞれのクランプ開閉用ヨークの左右に設けられるリンク機構であるコネクティングロッドと、それぞれのコネクティングロッドが連結するクランプアームと、それぞれのクランプアームが連結しコラムに回動自在に設けられ積層された容器をセンタリングしつつ開閉自在に４つの隅部を固定する４つのクランプ部と、ターンテーブル、コラム、アッパープレートおよびクランプ部を回転させる駆動モータと、ターンテーブル回転中心に垂直方向に配置されるクランプ開閉用シリンダーとを有し、
クランプ開閉用シリンダーは、プッシュプルロッドおよびロータリーカップリングを介してクランプ開閉用ヨークに連結し、それぞれのクランプ開閉用ヨークは、リンク機構であるコネクティングロッド及びクランクアームを介してクランプ部を開閉させるとともに、
ターンテーブルから間隔を有した外周に外周方向において略等間隔に垂直方向に複数の洗浄管を立設し、各々の洗浄管は上下方向に複数ほぼ等間隔に洗浄ノズルを内側に向かって設けた容器洗浄遠心乾燥機を有することを特徴とする容器洗浄遠心乾燥装置。
【請求項３】
積層された容器を容器洗浄遠心乾燥機へ積層整列させた後、容器を供給搬出させる容器供給排出機によって開放された扉部から外装部内に搬入されターンテーブルの回転中心に載置されると同時に扉部が閉鎖され密閉状態にし、
次ぎに、洗浄管の洗浄ノズルより洗浄水により積層された容器へ、クランプ部によるクランプ前に洗浄水を吹付け第１次洗浄をした後、
クランプ部によって積層された容器を全体をクランプし、
次ぎにターンテーブルを低速で回転させながら洗浄管の洗浄ノズルより洗浄水により第２次又は第２次及び第３次洗浄をした後、洗浄水を止めて洗浄を停止後、
ターンテーブルの回転を高速回転として遠心乾燥後、ターンテーブルを停止させ、クランプ部によるクランプを解除し、
外装部の扉部を開けて段積み容器を、容器供給排出機によって外装部の外に排出することを特徴とする容器洗浄遠心乾燥方法。
【発明の詳細な説明】
【技術分野】
【０００１】
この発明は、容器を洗浄するとともに遠心回転によって乾燥させる容器洗浄乾燥装置、詳細にはパン等の食品工場等で使用される食品容器等の容器洗浄遠心乾燥装置及び容器洗浄遠心乾燥方法に関する。
【背景技術】
【０００２】
パン等の食品工場等で使用される食品容器は、流通容器あるいはコンテナーとも呼ばれ硬質合成樹脂材等によって形成されている。このような容器は、繰り返し使用されるため洗浄及び乾燥の工程が必要であった。
【０００３】
したがって、従来は容器乾燥装置とは別に容器洗浄装置を設けており、容器洗浄装置で洗浄した容器を段積みして搬送して容器乾燥装置に送り込んで乾燥させていた。
【０００４】
容器を回転させて乾燥させる容器遠心乾燥装置としては、本願出願人により「容器に内接し周面の適宜部位で縦割する開閉自在の円筒回転体と、該円筒回転体を開閉せしめる開閉手段と、該円筒回転体を上下面において抑止せしめる掛止手段とから構成される容器乾燥装置（実開昭５６−１１４３９５号）」および「積層された容器を載置する回転盤に回動管を適宜数立設し、該回動管に積層された容器の隅部を開閉自在に把持するクランプを固定リンクにより固定し、昇降自在な昇降フレームに固定されたカムフォロアを介して昇降し、回転自在であるスワッシュプレートと前記回動管とを連結プレートと折曲部を有する連結リンクを介して連結したことを特徴とする容器遠心乾燥装置（実公昭６１−２０４７１号）」が考案されている。
【０００５】
また、本願出願人は、容器遠心乾燥装置として、「洗浄行程後の積層された容器を載置するターンテーブルと、ターンテーブルの回転中心に垂直方向に配置され上部軸中心部を通るプッシュプルロッドと、プッシュプルロッドに連結し駆動モータの回転を伝えずクランプ開閉用シリンダーのスラストのみを伝えるロータリーカップリングと、ターンテーブルの上部にターンテーブルの回転中心から同距離で対向する位置に２本づつ立設させるコラムと、対向するそれぞれ２本のコラムを上部で結合させるアッパープレートと、対向するそれぞれ２本のコラムの間に垂直方向に設けられる部分とアッパープレートに水平に設けられる部分とともに門形に設けられロータリーカップリングの作動により昇降する２つのクランプ開閉用ヨークと、それぞれのクランプ開閉用ヨークに上下に複数設けられるとともにそれぞれのクランプ開閉用ヨークの左右に設けられるリンク機構であるコネクティングロッドと、それぞれのコネクティングロッドが連結するクランプアームと、それぞれのクランプアームが連結しコラムに回動自在に設けられ積層された容器をセンタリングしつつ開閉自在に４つの隅部を固定する４つのクランプ部と、ターンテーブル、コラム、アッパープレートおよびクランプ部を回転させる駆動モータと、ターンテーブル回転中心に垂直方向に配置されるクランプ開閉用シリンダーとを有するとともに、
クランプ開閉用シリンダーは、プッシュプルロッドおよびロータリーカップリングを介してクランプ開閉用ヨークに連結し、それぞれのクランプ開閉用ヨークは、リンク機構であるコネクティングロッド及びクランクアームを介してクランプ部を開閉させるとともに、
少なくともコラムおよびクランプ部をカーボン系複合材で構成する容器遠心乾燥機を有することを特徴とする容器遠心乾燥装置（特許第３８３９２２０号）」を開示している。
【特許文献１】実開昭５６−１１４３９５号公報
【特許文献２】実公昭６１−２０４７１号公報
【特許文献３】特許第３８３９２２０号公報
【発明の開示】
【発明が解決しようとする課題】
【０００６】
従来は、容器乾燥装置の前工程として容器洗浄装置を別装置として設けており、その容器洗浄装置の設置場所の確保が必要である課題があった。
【０００７】
また、別装置になるため設備費の他、保守、点検にもぞれぞれの作業が必要になる課題があった。
【課題を解決するための手段】
【０００８】
上記の課題を解決するために、扉部を有する外装部を有し、外装部の内部に積層された容器を載置するターンテーブルと、ターンテーブルの上部にターンテーブルの回転中心から同距離で対向する位置に２本づつ立設させるコラムと、対向するそれぞれ２本のコラムを上部で結合させるアッパープレートと、積層された容器をセンタリングしつつ開閉自在に４つの隅部を固定する４つのクランプ部と、ターンテーブル、コラム、アッパープレートおよびクランプ部を回転させる駆動モータと、ターンテーブル回転中心に垂直方向に配置されクランプ部を開閉するクランプ開閉用シリンダーと、
ターンテーブルから間隔を有した外周に外周方向において略等間隔に垂直方向に複数の洗浄管を立設し、各々の洗浄管は上下方向に複数ほぼ等間隔に洗浄ノズルを内側に向かって設けた容器洗浄遠心乾燥機を有することを特徴とする容器洗浄遠心乾燥装置を提案する。
【０００９】
また、扉部を有する外装部を有し、外装部の内部に積層された容器を載置するターンテーブルと、ターンテーブルの上部にターンテーブルの回転中心から同距離で対向する位置に２本づつ立設させるコラムと、対向するそれぞれ２本のコラムを上部で結合させるアッパープレートと、対向するそれぞれ２本のコラムの間に垂直方向に設けられる部分とアッパープレートに水平に設けられる部分とともに門形に設けられロータリーカップリングの作動により昇降する２つのクランプ開閉用ヨークと、それぞれのクランプ開閉用ヨークに上下に複数設けられるとともにそれぞれのクランプ開閉用ヨークの左右に設けられるリンク機構であるコネクティングロッドと、それぞれのコネクティングロッドが連結するクランプアームと、それぞれのクランプアームが連結しコラムに回動自在に設けられ積層された容器をセンタリングしつつ開閉自在に４つの隅部を固定する４つのクランプ部と、ターンテーブル、コラム、アッパープレートおよびクランプ部を回転させる駆動モータと、ターンテーブル回転中心に垂直方向に配置されるクランプ開閉用シリンダーとを有し、
クランプ開閉用シリンダーは、プッシュプルロッドおよびロータリーカップリングを介してクランプ開閉用ヨークに連結し、それぞれのクランプ開閉用ヨークは、リンク機構であるコネクティングロッド及びクランクアームを介してクランプ部を開閉させるとともに、
ターンテーブルから間隔を有した外周に外周方向において略等間隔に垂直方向に複数の洗浄管を立設し、各々の洗浄管は上下方向に複数ほぼ等間隔に洗浄ノズルを内側に向かって設けた容器洗浄遠心乾燥機を有することを特徴とする容器洗浄遠心乾燥装置を提案する。
【００１０】
更に、積層された容器を容器洗浄遠心乾燥機へ積層整列させた後、容器を供給搬出させる容器供給排出機によって開放された扉部から外装部内に搬入されターンテーブルの回転中心に載置されると同時に扉部が閉鎖され密閉状態にし、
次ぎに、洗浄管の洗浄ノズルより洗浄水により積層された容器へ、クランプ部によるクランプ前に洗浄水を吹付け第１次洗浄をした後、
クランプ部によって積層された容器を全体をクランプし、
次ぎにターンテーブルを低速で回転させながら洗浄管の洗浄ノズルより洗浄水により第２次又は第２次及び第３次洗浄をした後、洗浄水を止めて洗浄を停止後、
ターンテーブルの回転を高速回転として遠心乾燥後、ターンテーブルを停止させ、クランプ部によるクランプを解除し、
外装部の扉部を開けて段積み容器を、容器供給排出機によって外装部の外に排出することを特徴とする容器洗浄遠心乾燥方法を提案する。
【発明の効果】
【００１１】
この発明によれば、容器乾燥装置に洗浄装置が組み込まれているため、工程の中に容器洗浄装置が不要となるため設備費を削減できるとともに、容器洗浄装置を設置する場所の確保が必要がなくなり、工場のレイアウト等が行ないやすくなるメリットがある。
【発明を実施するための最良の形態】
【００１２】
この発明の実施形態を示す容器洗浄遠心乾燥装置の全体内部正面説明図である図１、同じく全体内部側面説明図である図２、同じく全体内部平面説明図である図３、同じく全体正面図である図４、同じく全体側面図である図５、同じく全体平面図である図６、この発明の実施形態を示す容器洗浄遠心乾燥機の一部切欠内部説明図である図７、この発明の実施形態を示す容器洗浄遠心乾燥装置の洗浄システムのフローチャートである図８に基づいて説明する。
【００１３】
この発明の容器洗浄遠心乾燥装置は、積層された容器Ｃを回転遠心乾燥させる容器洗浄遠心乾燥機Ａと、容器洗浄遠心乾燥機Ａに積層された容器Ｃを送り込み送り出す容器供給排出機Ｂと、容器洗浄遠心乾燥機Ａに洗浄水を送り込み回収し洗浄後の水を濾過する洗浄機Ｗとからなる。
【００１４】
容器Ｃは、適宜数積層され上流側の供給コンベアによって整列装置１２まで搬送される。送られてくる積層された容器Ｃは整列装置１２によって整列される。積層整列された容器Ｃは容器供給排出機Ｂによって容器洗浄遠心乾燥機Ａへ送り込まれる。
【００１５】
容器洗浄遠心乾燥機Ａは、容器供給排出機Ｂによって送り込まれる積層された容器Ｂをほぼ回転中心に載置させ回転可能である平面視多角形状、この実施例では平面視八角形状のステンレス製ターンテーブル１と、ターンテーブル１の上部に複数固定して立設させるコラム２と、複数のコラム２を上部で結合させるアッパープレート３と、コラム２に回動自在に設けられ積層された容器Ｂをセンタリングしつつ開閉自在に容器Ｂの隅部を固定するクランプ部４と、ターンテーブル１、コラム２、アッパープレート３およびクランプ部４を回転させる駆動モータ５と、クランプ部４を開閉させるクランプ開閉用シリンダー６と、ターンテーブル１から間隔を有した外周に外周方向において略等間隔に複数垂直方向に立設し上下方向に複数ほぼ等間隔に洗浄ノズル２１を内側に向かって設けた洗浄管２０とを有する。容器洗浄遠心乾燥機Ａは、外装部１２の供給側及び排出側に開閉自在の両開き扉部１３を有し、両開き扉部１３が閉鎖されることにより容器洗浄遠心乾燥機Ａは密閉状態になる。
【００１６】
ターンテーブル１は、下部で駆動モータ５とＶベルトによって連結している。駆動モータ５は、回生制動型インバータ及びモータを使用している。クランプ部４は、積層された容器Ｃの四隅をクランプする内直角部を有する４つの垂直方向に設けられた部材からなり、この実施形態ではそれぞれ上下３つのクランプアーム１１に連結している。また、この実施形態では、コラム２はターンテーブル１の回転中心から同距離で対向する位置に２本づつ配設される。
【００１７】
容器洗浄遠心乾燥機Ａの部材の少なくともコラム２およびクランプ部４は、カーボン系複合材で構成し、搬送されターンテーブル１上に載置される容器Ｂに洗浄後でも残留するアルカリ性洗剤等の各種洗剤に対する耐腐食性を強化している。また容器洗浄遠心乾燥機Ａの内壁面は、ゲルコート仕上げＦＲＰ樹脂材で表面加工し、コーナー部を湾曲状に形成している。
【００１８】
クランプ開閉用シリンダー６は、ターンテーブル１の回転中心に垂直方向に配置され上部軸中心部を通るプッシュプルロッド７および駆動モータ５の回転を伝えずクランプ開閉用シリンダー６のスラストのみを伝えるロータリーカップリング８を介してコラム２の間に垂直方向に複数設けられたクランプ開閉用ヨーク９に連結する。
【００１９】
クランプ開閉用ヨーク９は、それぞれの複数のコラム２の間に垂直方向に設けられアッパープレート３に水平に設けられる部分とともに門形に設けられている。それぞれ対向する位置に垂直に配設されるクランプ開閉用ヨーク９に、上下に複数の、この実施形態では３つのリンク機構であるコネクティングロッド１０を左右に設けており、それぞれのコネクティングロッド１０を、それぞれクランプアーム１１に連結している。それぞれのクランプアーム１１は積層された容器Ｂの四隅をクランプする内直角部を有する４つのクランプ部４に連結している。
【００２０】
コネクティングロッド１０は、クランク開閉用ヨーク９と回動自在に連結しており、クランプ部４が積層された容器Ｂの四隅をクランプする閉状態では水平状態になり、クランプ部４が開状態において上部では互いの間隔が狭く、下部では互いの間隔が広い状態になる。
【００２１】
洗浄管２０は、この実施形態ではターンテーブル１から間隔を有した外周に外周方向において略等間隔に４本垂直方向に立設しており、上下方向に８つの洗浄ノズル２１を内側に向かってほぼ等間隔に設けている。
【００２２】
４本の洗浄管２０は、上流部で洗浄機Ｗの送水管２２に接続している。
【００２３】
容器洗浄遠心乾燥機Ａの下部には洗浄後の洗浄水を集水し、洗浄機Ｗに設けられている循環ろ過水タンク２３へ送水する循環水路２４を設けている。
【００２４】
洗浄機Ｗは、送水管２２、洗浄ポンプ２５、循環水ろ過装置２６，循環ろ過水タンク２３、清浄水タンク２７等を有し、送水管２２は、選択的に上流では循環ろ過水タンク２３と清浄水タンク２７に接続しており、下流では洗浄管２０の上流側端部（上端）に接続している。循環ろ過水タンク２３と清浄水タンク２７は、ヒーター及び温度センサーを有しており内部の水を一定の温度の温水に保つ。
【００２５】
次に、この発明の容器洗浄遠心乾燥装置の作用について説明する。この発明の実施形態に使用する容器Ｃは平面視長方形のものを使用し、適宜数積層され上流側の供給コンベアによって整列装置１２まで搬送され、整列装置１２によって積層整列される。積層された容器Ｃは、長手方向端面側から容器洗浄遠心乾燥機Ａへ入ると、外装部１２に設けた両開き扉部１９が閉まり密閉状態になる。
【００２６】
容器洗浄遠心乾燥機Ａ内へ送り込まれた積層された容器Ｃは、ターンテーブル１の回転中心付近に載置される。この状態で容器洗浄遠心乾燥装置の起動スイッチをＯＮ状態にすると、容器洗浄遠心乾燥機Ａ及び洗浄機Ｗへ指示信号が送られ連動して自動的に両機とも駆動する。
【００２７】
指示信号にしたがって洗浄機Ｗの洗浄ポンプ２５が作動し、循環ろ過水タンク２３から循環ろ過水を送水管２２を通して４本の洗浄管２０へ一定の圧力を掛けて送水する。洗浄管２０へ送水されたろ過水は、洗浄ノズル２１から積層された容器Ｃへ向けて末広がり状、特に図に示すように上下に末広がり状に散水され、積層された容器Ｃを第１次洗浄する。
【００２８】
次ぎに、クランプ開閉用シリンダー６が作動し、ターンテーブル１の回転中心に垂直方向に配置され上部軸中心部を通るプッシュプルロッド７を下降させる。プッシュプルロッド７は、駆動モータ５の回転を伝えずクランプ開閉用シリンダー６のスラストのみを伝えるロータリーカップリング８を介して門形の垂直方向に２本設けられたクランプ開閉用ヨーク９を下降させる。
【００２９】
それぞれ対向する２本のクランプ開閉用ヨーク９が下降すると、上下３つのリンク機構である左右のコネクティングロッド１０は、上部では互いの間隔が狭く、下部では互いの間隔が広い状態である上端連結部が下降してクランプ開閉用ヨーク９に対して回動して一本の水平状態になる。それぞれのコネクティングロッド１０は他端部をそれぞれクランプアーム１１に連結しており、コネクティングロッド１０の一字状の水平状態によりそれぞれのクランプアーム１１は４つのクランプ部４を回動させ、容器Ｃの４つの隅部を外方から挟み込み容器Ｃをターンテーブル１の回転中心で動かないように固定する。容器Ｃのクランプされた状態は、短手方向両端面であり、アッパープレート３は、回転中心から比較的短い。
【００３０】
このときクランプ開閉用シリンダー６の下方への圧力により容器Ｃは、上部からプッシュプルロッド７により押圧されるとともに、互いに隣のコネクティングロッド１０と一字状の水平状態になることによって、容器Ｃの回転による遠心力に確実に抗することが可能になる。他の実施形態としては、コネクティングロッド１０を重層的に複数設けることによりフェイルセーフ構造として遠心回転力に対抗させ安全性を高めている。
【００３１】
容器Ｃがクランプ部４でホールド（挟持）されると、駆動モータ５が作動し、回転力はＶベルトによってターンテーブル１に伝えられターンテーブル１を低速で回転させると同時に洗浄機Ｗの洗浄ポンプ２５を作動させ、再度循環ろ過水タンク２３よりろ過水を送水管２２を通して４本の洗浄管２０へ一定の圧力を掛けて送水する。洗浄管２０へ送水された循環ろ過水は、洗浄ノズル２１から積層された容器Ｃへ向けて末広がり状、特に図に示すように上下に末広がり状に散水され、低速回転する積層された容器Ｃを第２次洗浄する。このときクランプ開閉用シリンダー６へは、ターンテーブル１が回転してもロータリーカップリング８の作用により回転力が伝わることがない。
【００３２】
一定の時間の第２次洗浄の後、循環ろ過水タンク２３から清浄水タンク２７へ供給するタンクを切換え、清浄水タンク２７から清浄水を送水管２２を通して４本の洗浄管２０へ一定の圧力を掛けて送水する。洗浄管２０へ送水された清浄水は、洗浄ノズル２１から積層された容器Ｃへ向けて末広がり状、特に図に示すように上下に末広がり状に散水され、低速回転する積層された容器Ｃを第３次洗浄する。
【００３３】
更に、予め定められた一定時間の後、洗浄ポンプ２５を停止、洗浄機Ｗからの送水を停止する。
【００３４】
次に、駆動モータ５への指示信号、或いは予め設定されている時間後ターンテーブル１の回転数を一定回転数まで加速させ高速回転とする。容器Ｃを回転遠心力により遠心乾燥（脱水）させた後、駆動モータ５を回転制動により定位置に停止させる。この制動時に容器洗浄遠心乾燥機Ａの主要部材が、カーボン系複合材で構成されているため従来に比し軽量化されているため回転する装置の回転慣性モーメントを大幅に減少させることができる。また容器洗浄遠心乾燥機Ａの内壁面は、ゲルコート仕上げＦＲＰ樹脂材で表面加工し、コーナー部を湾曲状に形成しているため、コーナー部にゴミ、埃、水滴が溜まりにくくなるとともに水滴の排出時間も速くなるため、衛生状態が向上する。
【００３５】
遠心乾燥させ終わった積層された容器Ｃは、外装部１２の両開き扉部１３を開放して容器供給排出機Ｂによって排出コンベアへ排出される。
【００３６】
次ぎに、この発明の実施形態を示す容器洗浄遠心乾燥装置の洗浄システムのフローチャートに基づいて洗浄機Ｗの作用について説明する。
【００３７】
積層された容器Ｃがターンテーブル１の回転中心付近に載置され、容器洗浄遠心乾燥装置の起動スイッチをＯＮ状態にすると、容器洗浄遠心乾燥機Ａ及び洗浄機Ｗへ指示信号が送られ連動して自動的に両機とも駆動される。
【００３８】
洗浄機Ｗにおいて、循環ろ過水タンク（図においてはろ過タンク）２３及び清浄水タンク（図においては温水タンク）２７は、温度調節器によって一定の温度の温水にして洗浄準備状態を完了する。洗浄ポンプ２５が起動すると、第１次洗浄の場合は、循環ろ過水タンク２３から循環ろ過水を送水管２２を通して４本の洗浄管２０へ一定の圧力を掛けて送水する。洗浄を行なったろ過水は、循環ろ過水装置である複数の装置（図では複数の洗浄タンク）を経てろ過水は循環ろ過水タンクへ循環水路２４を通って戻される。この循環ろ過水の水は第１次洗浄、及び第２次洗浄に用いる。
【００３９】
第３次洗浄は、清浄水タンク２７からの清浄水によって行なわれ、洗浄を行なった後の清浄水は、洗浄を行なったろ過水と同様に循環ろ過水装置である複数の装置（図では複数の洗浄タンク）を経てろ過水は循環ろ過水タンクへ循環水路２４を通って戻される。この循環ろ過水の水は第１次洗浄、及び第２次洗浄に用いる。
【産業上の利用可能性】
【００４０】
この発明は、多数の容器を繰り返し使用する工場、特にパン等の食品工場等で使用される食品容器等の容器を、洗浄し乾燥させる装置として利用可能性が高い。
【図面の簡単な説明】
【００４１】
【図１】この発明の実施形態を示す容器洗浄遠心乾燥装置の全体内部正面説明図
【図２】同じく全体内部側面説明図
【図３】同じく全体内部平面説明図
【図４】同じく全体正面図
【図５】同じく全体側面図
【図６】同じく全体平面図
【図７】この発明の実施形態を示す容器洗浄遠心乾燥機の一部切欠内部説明図
【図８】この発明の実施形態を示す容器洗浄遠心乾燥装置の洗浄システムのフローチャート
【符号の説明】
【００４２】
Ａ  容器遠心乾燥機
１  ターンテーブル
２  コラム
３  アッパープレート
４  クランプ部
５  駆動モータ
６  クランプ開閉用シリンダー
７  プッシュプルロッド
８  ロータリーカップリング
９  クランプ開閉用ヨーク
１０  コネクティングロッド
１１  クランプアーム
１２  外装部
１３  両開き扉部
２０  洗浄管
２１  洗浄ノズル
Ｂ  容器供給排出機
Ｗ  洗浄機
２２  送水管
２３  循環ろ過水タンク
２４  循環水路
２５  洗浄ポンプ
２６  循環ろ過装置
２７  清浄水タンク
Ｃ  容器
【図１】
2008296198.tif 000003
【図２】
2008296198.tif 000004
【図３】
2008296198.tif 000005
【図４】
2008296198.tif 000006
【図５】
2008296198.tif 000007
【図６】
2008296198.tif 000008
【図７】
2008296198.tif 000009
【図８】
2008296198.tif 000010